(57)【要約】【課題】排気カム位相および排気リフトの両方を変更することによって内部ＥＧＲを制御する場合に、内部ＥＧＲ量の制御を精度良く行うことができる内燃機関の内部ＥＧＲ制御装置を提供する。【解決手段】目標内部ＥＧＲ量設定手段２によって設定された目標内部ＥＧＲ量ＩＮＥＧＲＣＭＤに応じて、排気カム位相可変機構５０を制御するとともに、検出された実カム位相ＣＡＥＸに応じて、排気リフト可変機構７０を制御する第１制御を実行する第１制御手段２と、目標内部ＥＧＲ量ＩＮＥＧＲＣＭＤに応じて、排気リフト可変機構７０を制御するとともに、検出された実リフトＳＡＡＥＸに応じて、排気カム位相可変機構５０を制御する第２制御を実行する第２制御手段２と、検出された内燃機関３の運転状態に応じて、第１制御および第２制御のいずれを実行するかを決定する決定手段２と、を備える。【選択図】図８
2008115694.tif 000002
【特許請求の範囲】
【請求項１】
排気弁を駆動する排気カムのクランクシャフトに対する位相である排気カム位相を排気カム位相可変機構によって変更するとともに、前記排気弁のリフトを排気リフト可変機構によって変更することにより、気筒内に既燃ガスを残留させる内部ＥＧＲを制御する内燃機関の内部ＥＧＲ制御装置であって、
実際の排気カム位相を実カム位相として検出する実カム位相検出手段と、
前記排気弁の実際のリフトを実リフトとして検出する実リフト検出手段と、
内部ＥＧＲ量の目標となる目標内部ＥＧＲ量を設定する目標内部ＥＧＲ量設定手段と、
当該設定された目標内部ＥＧＲ量に応じて、前記排気カム位相可変機構を制御するとともに、前記検出された実カム位相に応じて、前記排気リフト可変機構を制御する第１制御を実行する第１制御手段と、
前記目標内部ＥＧＲ量に応じて、前記排気リフト可変機構を制御するとともに、前記検出された実リフトに応じて、前記排気カム位相可変機構を制御する第２制御を実行する第２制御手段と、
前記内燃機関の運転状態を検出する運転状態検出手段と、
当該検出された運転状態に応じて、前記第１制御および前記第２制御のいずれを実行するかを決定する決定手段と、
を備えることを特徴とする内燃機関の内部ＥＧＲ制御装置。
【請求項２】
前記排気カム位相可変機構は、前記排気カム位相を油圧によって変更する油圧式機構であることを特徴とする、請求項１に記載の内燃機関の内部ＥＧＲ制御装置。
【発明の詳細な説明】
【技術分野】
【０００１】
本発明は、気筒内に既燃ガスを残留させる内部ＥＧＲを制御する内燃機関の内部ＥＧＲ制御装置に関する。
【背景技術】
【０００２】
従来の内燃機関の内部ＥＧＲ制御装置として、例えば特許文献１に開示されたものが知られている。この内燃機関には、クランクシャフトに対する吸気カム位相および排気カム位相を互いに独立して変更するための油圧式の吸気バルブタイミング可変機構および排気バルブタイミング可変機構が設けられている。また、吸気弁および排気弁のリフトをそれぞれ変更するための吸気リフト機構および排気リフト機構が設けられている。
【０００３】
この内部ＥＧＲ制御装置では、上記のバルブタイミング可変機構およびリフト機構を制御し、吸気弁と排気弁とのバルブオーバーラップ量を変更することによって、内部ＥＧＲ量を制御する。具体的には、内燃機関の回転数および負荷に応じて、目標バルブオーバーラップ量、目標吸気カム位相および目標吸気リフトを算出し、目標吸気カム位相および目標吸気リフトが得られるように、吸気バルブタイミング可変機構および吸気リフト機構が制御される。また、目標バルブオーバーラップ量と実際の吸気カム位相に応じて、目標排気カム位相を算出するとともに、目標バルブオーバーラップ量および実際の吸気リフトに基づいて、目標排気リフトが算出される。そして、これらの目標排気カム位相および目標排気リフトが得られるように、排気バルブタイミング可変機構および排気リフト機構が制御される。
【０００４】
しかし、排気バルブタイミング可変機構は、油圧式であるため、その応答性が内燃機関の運転状態に応じて変化しやすい。例えば、油圧や油温が低いほど、排気バルブタイミング可変機構の応答性は低くなるため、目標排気カム位相が変化した場合、実際の排気カム位相が目標カム位相に収束するまでに時間を要する。これに対して、排気リフト機構が例えば電動式である場合には、その応答性が排気バルブタイミング可変機構と比べて安定しているとともに、比較的高いため、目標排気リフトが変化した場合、実際の排気リフトは比較的、短時間で目標リフトに収束する。
【０００５】
また、この従来の内部ＥＧＲ制御装置では、排気バルブタイミング可変機構および排気リフト機構をいずれも、目標バルブオーバーラップ量に応じて制御している。このため、例えば、排気バルブタイミング可変機構の応答性が、排気リフト機構の応答性よりも低い場合には、実際の排気リフトが目標排気リフトに収束していたとしても、実際の排気カム位相が目標排気カム位相に収束するまでの間、目標バルブオーバーラップ量に対し、実際のバルブオーバーラップ量がずれる結果、内部ＥＧＲ量の制御の精度が低くなる。これとは逆に、排気バルブタイミング可変機構の応答性の方が高い場合には、排気カム位相が目標排気カム位相に収束していたとしても、排気リフトが目標排気リフトに収束するまでの間、内部ＥＧＲ量の制御の精度がやはり低くなる。
【０００６】
特に、内部ＥＧＲ量の制御を、バルブオーバーラップによらず、既燃ガスを気筒内に残留させるように排気弁の閉弁タイミングを早めることによって行う場合には、高温の内部ＥＧＲが気筒内に残留するため、その制御の精度が低い場合には、燃焼状態が変化し、その不安定化を招くおそれがある。
【０００７】
本発明は、このような課題を解決するためになされたものであり、排気カム位相および排気リフトの両方を変更することによって内部ＥＧＲを制御する場合に、内部ＥＧＲ量の制御を精度良く行うことができる内燃機関の内部ＥＧＲ制御装置を提供することを目的とする。
【０００８】
【特許文献１】特開２００５−１２７１８０号公報
【発明の開示】
【課題を解決するための手段】
【０００９】
上記の目的を達成するため、請求項１に係る発明は、排気弁７を駆動する排気カム９のクランクシャフト３ｄに対する位相である排気カム位相を排気カム位相可変機構５０によって変更するとともに、排気弁７のリフトを排気リフト可変機構７０によって変更することにより、気筒３ａ内に既燃ガスを残留させる内部ＥＧＲを制御する内燃機関３の内部ＥＧＲ制御装置１であって、実際の排気カム位相を実カム位相（実施形態における（以下、本項において同じ）排気カム位相ＣＡＥＸ）として検出する実カム位相検出手段（カム角センサ２２、ＥＣＵ２）と、排気弁７の実際のリフトを実リフト（回動角ＳＡＡＥＸ）として検出する実リフト検出手段（リフトセンサ２３、ＥＣＵ２）と、内部ＥＧＲ量の目標となる目標内部ＥＧＲ量ＩＮＥＧＲＣＭＤを設定する目標内部ＥＧＲ量設定手段（ＥＣＵ２、ステップ１１）と、設定された目標内部ＥＧＲ量ＩＮＥＧＲＣＭＤに応じて、排気カム位相可変機構５０を制御するとともに、検出された実カム位相に応じて、排気リフト可変機構７０を制御する第１制御を実行する第１制御手段（ＥＣＵ２、ステップ３）と、目標内部ＥＧＲ量ＩＮＥＧＲＣＭＤに応じて、排気リフト可変機構７０を制御するとともに、検出された実リフトに応じて、排気カム位相可変機構５０を制御する第２制御を実行する第２制御手段（ＥＣＵ２、ステップ４）と、内燃機関３の運転状態（油温ＴＯＩＬ、エンジン回転数ＮＥ）を検出する運転状態検出手段（油温センサ２６、クランク角センサ２１、ＥＣＵ２）と、検出された運転状態に応じて、第１制御および第２制御のいずれを実行するかを決定する決定手段（ＥＣＵ２、ステップ１，２）と、を備えることを特徴とする。
【００１０】
この内燃機関の内部ＥＧＲ制御装置によれば、排気カム位相可変機構で排気カム位相を変更するとともに、排気リフト可変機構で排気弁のリフトを変更することによって、気筒内に既燃ガスを残留させる内部ＥＧＲが制御される。目標内部ＥＧＲ量は、目標内部ＥＧＲ量設定手段によって設定される。第１制御手段は、この目標内部ＥＧＲ量に応じて、排気カム位相可変機構を制御するとともに、検出された排気カム位相の実カム位相に応じて、排気リフト可変機構を制御する第１制御を実行する。一方、第２制御手段は、目標内部ＥＧＲ量に応じて、排気リフト可変機構を制御するとともに、検出された排気弁の実リフトに応じて、排気カム位相可変機構を制御する第２制御を実行する。これらの第１制御または第２制御のいずれを実行するかは、検出された内燃機関の運転状態に応じ、決定手段によって決定される。
【００１１】
以上のように、本発明によれば、内燃機関の運転状態に応じて、第１制御または第２制御のいずれかが実行される。例えば、排気カム位相可変機構の応答性が排気リフト可変機構のそれよりも低くなるような内燃機関の運転状態の場合、第１制御を実行する。これにより、目標内部ＥＧＲ量に応じて、応答性のより低い排気カム位相可変機構を優先的に制御するとともに、その制御の結果として得られた実際の排気カム位相である実カム位相をパラメータとして、応答性のより高い排気リフト可変機構を制御する。したがって、排気カム位相可変機構の応答の遅れによって、実際の排気カム位相の変化が遅れても、内部ＥＧＲ量の制御を精度良く行うことができる。逆に、排気リフト可変機構の応答性が排気カム位相可変機構のそれよりも低くなるような内燃機関の運転状態の場合、第２制御を実行することにより、排気リフト可変機構を優先的に制御し、その制御によって得られた排気弁の実リフトをパラメータとして、排気カム位相可変機構を制御する。したがって、排気リフト可変機構の応答性がより低いときにも、内部ＥＧＲ量の制御を精度良く行うことができる。
【００１２】
請求項２に係る発明は、請求項１に記載の内燃機関３の内部ＥＧＲ制御装置１において、排気カム位相可変機構５０は、排気カム位相を油圧によって変更する油圧式機構であることを特徴とする。
【００１３】
前述したように、排気カム位相可変機構が油圧式の場合には、その応答性が内燃機関の運転状態に応じて変化しやすい。このため、内燃機関の運転状態に応じて、排気カム位相可変機構と排気リフト可変機構との応答性の高低の関係が変わり得るので、それに応じて、第１制御または第２制御を切り替えることにより、前述した請求項１による作用を適切に得ることができる。
【発明を実施するための最良の形態】
【００１４】
以下、図面を参照しながら、本発明の好ましい実施形態を詳細に説明する。図１は、本発明の実施形態による内部ＥＧＲ制御装置１、およびこれを適用した内燃機関（以下「エンジン」という）３の概略構成を示している。エンジン３は、４つの気筒３ａ（１つのみ図示）を有する直列４気筒のガソリンエンジンであり、車両（図示せず）に搭載されている。各気筒３ａのピストン３ｂとシリンダヘッド３ｃとの間には、燃焼室３ｅが形成されている。
【００１５】
エンジン３は、気筒３ａごとに設けられた一対の吸気弁４，４および一対の排気弁７，７（ともに１つのみ図示）と、吸気側の吸気カムシャフト５と、吸気カムシャフト５に一体に設けられた吸気カム６と、排気側の排気カムシャフト８と、排気カムシャフト８に一体に設けられた排気カム９と、燃料噴射弁１０（図２参照）と、点火プラグ１１（図２参照）と、排気側動弁機構４０などを備えている。
【００１６】
エンジン３のクランクシャフト３ｄには、クランク角センサ２１が設けられている。クランク角センサ２１（運転状態検出手段）は、クランクシャフト３ｄの回転に伴い、所定のクランク角（例えば１°）ごとに、パルス信号であるＣＲＫ信号をＥＣＵ２に出力する。ＥＣＵ２は、このＣＲＫ信号に基づき、エンジン３の回転数（以下「エンジン回転数」という）ＮＥを求める。
【００１７】
吸気カムシャフト５および排気カムシャフト８はそれぞれ、ホルダ（図示せず）を介して、シリンダヘッド３ｃに回動自在に支持され、気筒３ａの配列方向に沿って延びている。この吸気カムシャフト５は、タイミングチェーン（図示せず）を介してクランクシャフト３ｄに連結されている。この構成により、吸気カムシャフト５は、クランクシャフト３ｄが２回転するごとに１回転し、それに伴う吸気カム６の回転によって、吸気弁４が開閉駆動される。
【００１８】
同様に、排気カムシャフト８は、タイミングチェーン（図示せず）を介してクランクシャフト３ｄに連結されており、クランクシャフト３ｄが２回転するごとに１回転し、それに伴う排気カム９の回転によって、排気弁７が開閉駆動される。
【００１９】
一方、燃料噴射弁１０は、気筒３ａごとに設けられ、燃料を気筒３ａ内に直接、噴射するようにシリンダヘッド３ｃに取り付けられている。燃料噴射弁１０の開弁時間および開弁タイミングは、ＥＣＵ２からの駆動信号によって制御され、それにより、燃料噴射量および噴射タイミングが制御される。
【００２０】
また、点火プラグ１１も、気筒３ａごとに設けられ、シリンダヘッド３ｃに取り付けられている。点火プラグ１１の放電状態は、ＥＣＵ２により、点火時期に応じたタイミングで燃焼室３ｅ内の混合気を燃焼させるように制御される。
【００２１】
さらに、排気側動弁機構４０は、排気カム位相可変機構５０および排気リフト可変機構７０で構成されている。
【００２２】
排気カム位相可変機構５０は、クランクシャフト３ｄに対する排気カムシャフト８の相対的な位相（以下「排気カム位相」という）を所定の範囲内において無段階に変更するものであり、排気カムシャフト８の排気スプロケット側の端部に設けられている。図３に示すように、排気カム位相可変機構５０は、ハウジング５１、３枚羽根式のベーン５２、油圧ポンプ５３および電磁弁５４などを備えている。
【００２３】
このハウジング５１は、排気カムシャフト８の排気スプロケットと一体に構成されており、周方向に等間隔に形成された３つの隔壁５１ａを備えている。ベーン５２は、排気カムシャフト８の排気スプロケット側の端部に同軸に取り付けられ、排気カムシャフト８から外方に放射状に延びるとともに、ハウジング５１内に回転可能に収容されている。また、ハウジング５１内には、隔壁５１ａとベーン５２の間に、３つの進角室５５および３つの遅角室５６が形成されている。
【００２４】
油圧ポンプ５３は、クランクシャフト３ｄに連結された機械式のものであり、クランクシャフト３ｄの回転に伴い、エンジン３のオイルパン３ｆに蓄えられた潤滑用オイルを、油路５７ｃを介して吸い込むとともに、これを昇圧した後、油路５７ｃを介して電磁弁５４に供給する。
【００２５】
電磁弁５４は、スプール弁機構５４ａとソレノイド５４ｂを組み合わせたものであり、進角油路５７ａおよび遅角油路５７ｂを介して、進角室５５および遅角室５６にそれぞれ接続されていて、油圧ポンプ５３から供給された油圧Ｐｏｉｌを制御し、進角油圧Ｐａｄおよび遅角油圧Ｐｒｔとして、進角室５５および遅角室５６にそれぞれ供給する。電磁弁５４のソレノイド５４ｂは、ＥＣＵ２からの後述する位相制御入力Ｕ＿ＣＡＥＸにより、スプール弁機構５４ａのスプール弁体を所定の範囲内で移動させることによって、進角油圧Ｐａｄおよび遅角油圧Ｐｒｔを変化させる。
【００２６】
以上の構成の排気カム位相可変機構５０では、油圧ポンプ５３の作動中、電磁弁５４が位相制御入力Ｕ＿ＣＡＥＸに応じて動作することにより、進角油圧Ｐａｄが進角室５５に、遅角油圧Ｐｒｔが遅角室５６にそれぞれ供給され、それにより、ベーン５２とハウジング５１との間の相対的な位相が進角側または遅角側に変更される。その結果、前述した排気カム位相が、所定の最遅角値と所定の最進角値との間で連続的に変化し、それにより、排気弁７のバルブタイミングは、図４に実線で示す最遅角タイミングと、２点鎖線で示す最進角タイミングとの間で無段階に変更される。
【００２７】
一方、排気カムシャフト８の排気カム位相可変機構５０と反対側の端部には、カム角センサ２２（図２参照）が設けられている。このカム角センサ２２（実カム位相検出手段）は、排気カムシャフト８の回転に伴い、パルス信号であるＥＸＣＡＭ信号を所定のカム角（例えば１゜）ごとにＥＣＵ２に出力する。ＥＣＵ２は、このＥＸＣＡＭ信号および前述したＣＲＫ信号に基づき、排気カム位相ＣＡＥＸ（実カム位相）を算出する。
【００２８】
また、排気リフト可変機構７０は、排気弁７のリフト（以下「排気リフト」という）を値０と所定の最大値との間で無段階に変更するためのものである。図５および図６に示すように、排気リフト可変機構７０は、コントロールシャフト７１およびロッカアームシャフト７２と、これらのシャフト７１，７２に気筒３ａごとに設けられた上下のロッカアーム７４，７５と、これらの上下のロッカアーム７４，７５を駆動するアクチュエータ８０などを備えている。なお、本実施形態では、排気リフトは、排気弁７の最大揚程（リフト量）を表すものとする。
【００２９】
コントロールシャフト７１は、回動軸部７１ａ、ホルダ部７１ｂおよび偏心軸部７１ｃを一体に組み立てたものであり、排気カムシャフト８と平行に延び、シリンダヘッド３ｃに回動自在に支持されるとともに、その一端部がアクチュエータ８０に連結されている。
【００３０】
上ロッカアーム７４は、一対のリンク７４ａ，７４ａ、ローラ軸７４ｂ、ローラ７４ｃおよび一対のコイルばね７４ｄ，７４ｄを備えている。ローラ軸７４ｂは、その両端部において、リンク７４ａ，７４ａの一端部にそれぞれ回動自在に支持されている。また、ローラ７４ｃは、このローラ軸７４ｂに回動自在に設けられている。
【００３１】
また、各リンク７４ａの他端部は、コントロールシャフト７１の偏心軸部７１ｃに回動自在に支持されるとともに、コイルばね７４ｄを介してホルダ部７１ｂに連結されている。リンク７４ａでは、このコイルばね７４ｄの付勢力により、ローラ７４ｃが排気カム９のカム面に当接するとともに、ローラ７４ｃが排気カム９のカム面のベース円部に当接しているときに、ローラ軸７４ｂは回動軸部７１ａと同軸の原点位置（図５に示す位置）に保持される。
【００３２】
一方、下ロッカアーム７５は、その一端部においてロッカアームシャフト７２に回動自在に支持され、他端部にはアジャストボルト７５ａ，７５ａが取り付けられている。アジャストボルト７５ａと排気弁７の間には、所定のタペットクリアランスが設けられている。
【００３３】
また、下ロッカアーム７５は、上方に突出する一対の案内部７５ｂ，７５ｂを備えている。各案内部７５ｂは、その上面が上ロッカアーム７４のローラ軸７４ｂを案内する案内面７５ｃになっており、この案内面７５ｃを介してローラ軸７４ｂに当接している。この案内面７５ｃは、リンク７４ａが図５に実線で示す閉弁位置にあるときに偏心軸部７１ｃと同心になるような、下方に凸の所定の円弧状に形成されている。また、案内部７５ｂとローラ軸７４ｂが互いに当接している状態では、ローラ７４ｃは、案内部７５ｂ，７５ｂ間に位置するとともに、下ロッカアーム７５に当接することなく、排気カム９のみに当接する。
【００３４】
一方、アクチュエータ８０は、モータおよび減速ギヤ機構（いずれも図示せず）などを組み合わせたものであり、ＥＣＵ２により駆動されることによって、コントロールシャフト７１をその回動軸部７１ａを中心として回動させる。このコントロールシャフト７１の回動に伴い、リンク７４ａもローラ軸７４ｂを中心として回動する。
【００３５】
次に、以上のように構成された排気リフト可変機構７０の動作について説明する。この排気リフト可変機構７０では、ＥＣＵ２からの後述するリフト制御入力Ｕ＿ＳＡＡＥＸにより、アクチュエータ８０が駆動されると、コントロールシャフト７１が回動する。その際、コントロールシャフト７１の回動角ＳＡＡＥＸは所定範囲内に規制され、それにより、リンク７４ａの回動範囲も、例えばローラ軸７４ｂが前述した原点位置にある場合、図５に実線で示すゼロリフト位置と２点鎖線で示す最大リフト位置との間に規制される。
【００３６】
このようにリンク７４ａがゼロリフト位置にある場合、排気カム９が回転し、そのカムノーズによりローラ７４ｃがロッカアームシャフト７２側に押されると、リンク７４ａは偏心軸部７１ｃを中心として、図５の時計回りに回動する。その際、前述したように、下ロッカアーム７５の案内面７５ｃが偏心軸部７１ｃを中心とする円弧と一致するような形状を有しているので、下ロッカアーム７５は、図５に示す閉弁位置に保持される。それにより、排気リフトは値０に保持され、排気弁７は閉弁状態に保持される。
【００３７】
一方、リンク７４ａがゼロリフト位置から最大リフト位置側に回動した状態では、排気カム９の回転により、リンク７４ａが偏心軸部７１ｃを中心として図５の時計回りに回動し、それに伴い、下ロッカアーム７５は、図５に示す閉弁位置から下方に回動し、排気弁７を開放する。その際、下ロッカアーム７５の回動量すなわち排気リフトは、リンク７４ａが最大リフト位置に近い位置にあるほど、より大きくなる。
【００３８】
以上のように、排気弁７は、リンク７４ａが最大リフト位置に近い位置にあるほど、より大きなリフトで開弁する。具体的には、排気カム９の回転中、排気弁７は、リンク７４ａが最大リフト位置にあるときには、図７に実線で示すバルブリフト曲線に従って開弁し、排気リフトは、最大値ＬＥＸＭＡＸになる。したがって、この排気リフト可変機構７０では、アクチュエータ８０を介して、リンク７４ａをゼロリフト位置と最大リフト位置との間で回動させることにより、排気リフトを値０と所定の最大値ＬＥＸＭＡＸとの間で無段階に変化させることができる。また、排気カム位相ＣＡＥＸが同じ場合、排気リフトが大きいほど、排気弁７の開弁タイミングは早くなり、閉弁タイミングは遅くなる。
【００３９】
また、排気リフト可変機構７０には、排気リフトを検出するためのリフトセンサ２３が設けられている（図２参照）。このリフトセンサ２３（実リフト検出手段）は、コントロールシャフト７１の回動角ＳＡＡＥＸ（実リフト）を検出し、それを表す検出信号をＥＣＵ２に出力する。前述したように、排気リフトは、コントロールシャフト７１の回動角ＳＡＡＥＸから一義的に定まるので、検出された回動角ＳＡＡＥＸは、実際の排気リフトを表す。
【００４０】
以上のように、このエンジン３では、排気側動弁機構４０により、排気弁７のバルブタイミングおよびリフトを無段階に変更できるので、燃焼行程後も燃焼室３ｅ内に残留する既燃ガスの量（以下「内部ＥＧＲ量」という）を自在に変更できる。例えば、内部ＥＧＲ量は、排気カム位相ＣＡＥＸが最遅角位置にあり、かつ排気リフトが最大値ＬＥＸＭＡＸのときに、値０になる。一方、排気カム位相ＣＡＥＸが進角側にあるほど、排気弁７の閉弁タイミングが早くなることで、内部ＥＧＲ量は大きくなり、また、排気リフトが小さいほど、既燃ガスの排出量が少なくなることで、内部ＥＧＲ量は大きくなる。以上から明らかなように、本実施形態では、吸気弁４が開き始める前に排気弁７を閉じることで、既燃ガスを燃焼室３ｅ内に残留させることによって、内部ＥＧＲを得るものである。
【００４１】
また、エンジン３の排気管１２には、上流側から順に、排気温センサ２４および排気圧センサ２５が設けられている。排気温センサ２４は排気管１２内の温度（以下「排気温」という）ＴＥＸを、排気圧センサ２５は排気管１２内の圧力（以下「排気圧」という）ＰＥＸを検出し、それらの検出信号は、ＥＣＵ２に出力される。
【００４２】
さらに、ＥＣＵ２には、油温センサ２６（運転状態検出手段）から、排気カム位相可変機構５０の作動油などとして用いられる、潤滑用オイルの温度（以下「油温」という）ＴＯＩＬを表す検出信号が出力される。
【００４３】
ＥＣＵ２は、Ｉ／Ｏインターフェース、ＣＰＵ、ＲＡＭおよびＲＯＭなどから成るマイクロコンピュータで構成されている。ＥＣＵ２は、前述した各種のセンサ２１〜２６からの検出信号に応じ、ＲＯＭに記憶された制御プログラムなどに従って、燃料噴射量を含むエンジン３の制御を実行する。また、ＥＣＵ２は、排気側動弁機構４０を制御することによって、内部ＥＧＲ量を制御する。なお、本実施形態では、ＥＣＵ２は、実カム位相検出手段、実リフト検出手段、目標内部ＥＧＲ量設定手段、第１制御手段、第２制御手段、運転状態検出手段および決定手段に相当する。
【００４４】
図８は、ＥＣＵ２で実行される内部ＥＧＲ量の制御処理を示すフローチャートである。本処理は、所定時間ごとに実行される。まず、ステップ１（「Ｓ１」と図示。以下同じ）では、潤滑用オイルの油温ＴＯＩＬが所定温度ＴＪＵＤ（例えば７０℃）よりも高いか否かを判別する。この判別結果がＮＯのときには、排気カム位相可変機構５０の応答性が排気リフト可変機構７０の応答性よりも低いとして、排気カム位相可変機構５０を優先的に制御する、後述の位相優先制御を実行し（ステップ３）、本処理を終了する。
【００４５】
一方、ステップ１の判別結果がＹＥＳのときには、エンジン回転数ＮＥが所定回転数ＮＥＪＵＤ（例えば３０００ｒｐｍ）よりも大きいか否かを判別する（ステップ２）。この判別結果がＮＯのときには、クランクシャフト３ｄで駆動される油圧ポンプ５３による潤滑用オイルの昇圧度合いが小さく、潤滑用オイルの油圧が低いため、やはり排気カム位相可変機構５０の応答性が排気リフト可変機構７０のそれよりも低いとして、前記ステップ３を実行する。
【００４６】
一方、ステップ１および２の判別結果がいずれもＹＥＳのときには、潤滑用オイルの油温および油圧がいずれも高く、排気カム位相可変機構５０の応答性よりも排気リフト可変機構７０の応答性が低いとして、排気リフト可変機構７０を優先的に制御する、後述のリフト優先制御を実行し（ステップ４）、本処理を終了する。
【００４７】
図９は、前記ステップ３で実行される位相優先制御の処理を示すフローチャートである。本処理では、まずステップ１１において、エンジン回転数ＮＥおよび要求トルクＰＭＣＭＤに応じ、マップ（図示せず）を検索することによって、内部ＥＧＲ量の目標となる目標内部ＥＧＲ量ＩＮＥＧＲＣＭＤを算出する。
【００４８】
次に、目標内部ＥＧＲ量ＩＮＥＧＲＣＭＤを、検出された排気温ＴＥＸおよび排気圧ＰＥＸに応じ、気体の状態方程式（ＰＶ＝ｎＲＴ）を用いて補正することにより、補正目標内部ＥＧＲ量ＣＩＮＥＧＲを算出する（ステップ１２）。
【００４９】
次いで、算出した補正目標内部ＥＧＲ量ＣＩＮＥＧＲ、およびエンジン回転数ＮＥに応じ、マップ（図示せず）を検索することによって、排気カム位相ＣＡＥＸの目標となる目標カム位相ＣＡＥＸＣＭＤを算出する（ステップ１３）。次に、算出した目標カム位相ＣＡＥＸＣＭＤと実際の排気カム位相ＣＡＥＸに応じ、位相制御入力Ｕ＿ＣＡＥＸを算出する（ステップ１４）とともに、算出した位相制御入力Ｕ＿ＣＡＥＸに応じて、電磁弁５４を駆動する（ステップ１５）。以上により、排気カム位相ＣＡＥＸが目標カム位相ＣＡＥＸＣＭＤになるように制御される。
【００５０】
次に、補正目標内部ＥＧＲ量ＣＩＮＥＧＲに応じ、テーブル（図示せず）を検索することによって、排気弁７の閉弁タイミングに相当する閉弁クランク角ＣＡＥＸＶＣを算出する（ステップ１６）とともに、閉弁クランク角ＣＡＥＸＶＣおよび排気カム位相ＣＡＥＸに応じて、コントロールシャフト７１の回動角ＳＡＡＥＸの目標となる目標回動角ＳＡＡＥＸＣＭＤを算出する（ステップ１７）。
【００５１】
次に、回動角ＳＡＡＥＸおよび目標回動角ＳＡＡＥＸＣＭＤに応じて、リフト制御入力Ｕ＿ＳＡＡＥＸを算出する（ステップ１８）。次に、算出したリフト制御入力Ｕ＿ＳＡＡＥＸに応じて、アクチュエータ８０を駆動する（ステップ１９）。以上により、回動角ＳＡＡＥＸが目標回動角ＳＡＡＥＸＣＭＤになるように制御される。
【００５２】
図１０は、前記ステップ４で実行されるリフト優先制御の処理を示すフローチャートである。本処理では、まずステップ２１および２２において、前記ステップ１１および１２と同様、エンジン回転数ＮＥおよび要求トルクＰＭＣＭＤに応じ、マップ（図示せず）を検索することによって、目標内部ＥＧＲ量ＩＮＥＧＲＣＭＤを算出するとともに、算出した目標内部ＥＧＲ量ＩＮＥＧＲＣＭＤを補正することにより、補正目標内部ＥＧＲ量ＣＩＮＥＧＲを算出する。
【００５３】
次に、算出した補正目標内部ＥＧＲ量ＣＩＮＥＧＲおよびエンジン回転数ＮＥに応じ、マップ（図示せず）を検索することによって、回動角ＳＡＡＥＸの目標回動角ＳＡＡＥＸＣＭＤを算出する（ステップ２３）。次いで、算出した目標回動角ＳＡＡＥＸＣＭＤと実際の回動角ＳＡＡＥＸに応じ、リフト制御入力Ｕ＿ＳＡＡＥＸを算出する（ステップ２４）とともに、算出したリフト制御入力Ｕ＿ＳＡＡＥＸに応じて、アクチュエータ８０を駆動する（ステップ２５）。以上により、回動角ＳＡＡＥＸが目標回動角ＳＡＡＥＸＣＭＤになるように制御される。
【００５４】
次に、補正目標内部ＥＧＲ量ＣＩＮＥＧＲに応じ、テーブル（図示せず）を検索することによって、排気弁７の閉弁クランク角ＣＡＥＸＶＣを算出する（ステップ２６）とともに、閉弁クランク角ＣＡＥＸＶＣおよび回動角ＳＡＡＥＸに応じて、排気カム位相ＣＡＥＸの目標カム位相ＣＡＥＸＣＭＤを算出する（ステップ２７）。次いで、算出した目標カム位相ＣＡＥＸＣＭＤと実際の排気カム位相ＣＡＥＸに応じ、位相制御入力Ｕ＿ＣＡＥＸを算出する（ステップ２８）とともに、算出した位相制御入力Ｕ＿ＣＡＥＸに応じて、電磁弁５４を駆動する（ステップ２９）。以上により、排気カム位相ＣＡＥＸが目標カム位相ＣＡＥＸＣＭＤになるように制御される。
【００５５】
以上のように、本実施形態によれば、油温ＴＯＩＬが所定温度ＴＪＵＤ以下またはエンジン回転数ＮＥが所定回転数ＮＥＪＵＤ以下のときには、油圧式の排気カム位相可変機構５０の応答性が電動式の排気リフト可変機構７０の応答性よりも低いとして、位相優先制御を実行する。この位相優先制御では、排気カム位相ＣＡＥＸが、目標内部ＥＧＲ量ＩＮＥＧＲＣＭＤに応じて算出した目標カム位相ＣＡＥＸＣＭＤになるように、排気カム位相可変機構５０を優先的に制御するとともに、その制御の結果として得られた実際の排気カム位相ＣＡＥＸをパラメータとして目標回動角ＳＡＡＥＸＣＭＤを決定し、決定した目標回動角ＳＡＡＥＸＣＭＤに基づいて、排気リフト可変機構７０を制御する。このように、実際の排気カム位相ＣＡＥＸをパラメータとして、排気リフト可変機構７０を制御するので、排気カム位相可変機構５０の応答の遅れによって、目標カム位相ＣＡＥＸＣＭＤへの排気カム位相ＣＡＥＸの収束が遅れた場合に、内部ＥＧＲ量の制御を精度良く行うことができる。
【００５６】
一方、ＴＯＩＬ＞ＴＪＵＤで、かつＮＥ＞ＮＥＪＵＤのときには、排気リフト可変機構７０の応答性が排気カム位相可変機構５０のそれよりも低いとして、リフト優先制御を実行する。このリフト優先制御では、回動角ＳＡＡＥＸが、目標内部ＥＧＲ量ＩＮＥＧＲＣＭＤに応じて算出した目標回動角ＳＡＡＥＸＣＭＤになるように、排気リフト可変機構７０を優先的に制御するとともに、その結果として得られた回動角ＳＡＡＥＸをパラメータとして目標カム位相ＣＡＥＸＣＭＤを決定し、決定した目標カム位相ＣＡＥＸＣＭＤに基づいて、排気カム位相可変機構５０を制御する。このように、実際の回動角ＳＡＡＥＸをパラメータとして排気カム位相可変機構５０を制御するので、排気リフト可変機構７０の応答性がより低い場合にも、内部ＥＧＲ量の制御を精度良く行うことができる。
【００５７】
なお、本発明は、説明した実施形態に限定されることなく、種々の態様で実施することができる。例えば、実施形態は、排気カム位相可変機構５０が油圧式であり、排気リフト可変機構７０は電動式であるが、それらの駆動形式の組合わせは任意である。特に、実施形態とは逆に、排気カム位相可変機構が電動式で、排気リフト可変機構が油圧式であるときには、本実施形態と同じ制御手法を適用することによって、同様の効果を得ることができる。また、実施形態では、位相優先制御またはリフト優先制御のいずれを実行するかを決定するためのエンジンの運転状態を表すパラメータとして、油温とエンジン回転数を用いているが、これに限らず、排気カム位相可変機構５０の応答性に影響を及ぼす他の適当なパラメータを用いてもよい。例えば、実施形態では、エンジン回転数から油圧の状態を推定しているが、油圧を直接、検出し、その検出値をパラメータとして用いてもよい。さらに、実施形態は、燃料の噴射形態が、燃料を直接、気筒内に噴射する直噴タイプのものであるが、燃料を吸気管内に噴射するポート噴射タイプのものでもよく、あるいは両タイプを併用したものでもよい。
【００５８】
さらに、実施形態は、本発明を車両に搭載されたガソリンエンジンに適用した例であるが、本発明はこれに限らず、ガソリンエンジン以外のディーゼルエンジンなどの各種のエンジンに適用してもよく、また、車両用以外のエンジン、例えば、クランク軸を鉛直に配置した船外機などのような船舶推進機用エンジンにも適用可能である。その他、本発明の趣旨の範囲内で、細部の構成を適宜、変更することが可能である。
【図面の簡単な説明】
【００５９】
【図１】本発明の内部ＥＧＲ制御装置を内燃機関とともに概略的に示す図である。
【図２】内部ＥＧＲ制御装置の一部を示す図である。
【図３】排気カム位相可変機構の概略構成を示す模式図である。
【図４】排気カム位相可変機構により排気カム位相が最遅角値（実線）および最進角値（２点鎖線）に設定されているときの排気弁のバルブリフト曲線を示す図である。
【図５】排気リフト可変機構の概略構成を示す模式図である。
【図６】排気リフト可変機構の概略構成を示す斜視図である。
【図７】排気リフト可変機構による排気リフトの変更状態を示す図である。
【図８】内部ＥＧＲ量の制御処理を示すフローチャートである。
【図９】図８の位相優先制御処理を示すフローチャートである。
【図１０】図８のリフト優先制御処理を示すフローチャートである。
【符号の説明】
【００６０】
１  内部ＥＧＲ制御装置
２  ＥＣＵ（実カム位相検出手段、実リフト検出手段、目標内部ＥＧＲ量設定手段、
第１制御手段、第２制御手段、運転状態検出手段および決定手段）
３  エンジン
３ａ  気筒
３ｄ  クランクシャフト
７  排気弁
９  排気カム
２１  クランク角センサ（運転状態検出手段）
２２  カム角センサ（実カム位相検出手段）
２３  リフトセンサ（実リフト検出手段）
２６  油温センサ（運転状態検出手段）
５０  排気カム位相可変機構
７０  排気リフト可変機構
ＣＡＥＸ  排気カム位相（実カム位相）
ＳＡＡＥＸ  回動角（実リフト）
ＩＮＥＧＲＣＭＤ  目標内部ＥＧＲ量
ＮＥ  エンジン回転数（内燃機関の運転状態）
ＴＯＩＬ  油温（内燃機関の運転状態）
【図１】
2008115694.tif 000003
【図２】
2008115694.tif 000004
【図３】
2008115694.tif 000005
【図４】
2008115694.tif 000006
【図５】
2008115694.tif 000007
【図６】
2008115694.tif 000008
【図７】
2008115694.tif 000009
【図８】
2008115694.tif 000010
【図９】
2008115694.tif 000011
【図１０】
2008115694.tif 000012